(57)【要約】【課題】作業効率の低下を抑制すること、または、作業者の疲労を効率的に回復させること。【解決手段】本発明は、作業者１００の疲労に関する情報である疲労情報に基づき、作業者１００が疲労しているか否かを判定する疲労判定部４０と、疲労判定部４０が作業者１００が疲労していると判定した場合、作業者１００が作業を行う作業画面を表示する表示部５０に、作業画面とともに、作業者１００に疲労を回復させるための第１画面を表示させる処理制御部４４と、を具備する情報処理装置である。【選択図】図１
2008305107.tif 000002
【特許請求の範囲】
【請求項１】
作業者の疲労に関する情報である疲労情報に基づき、前記作業者が疲労しているか否かを判定する疲労判定部と、
前記疲労判定部が前記作業者が疲労していると判定した場合、前記作業者が作業を行う作業画面を表示する表示部に、前記作業画面と共に、前記作業者に疲労を回復させるための第１画面を表示させる処理制御部と、
を具備することを特徴とする情報処理装置。
【請求項２】
前記処理制御部が前記表示部に前記第１画面を表示させた後、
前記疲労判定部は、再度取得した疲労情報に基づき、前記作業者が疲労しているか否かを再度判定し、
前記疲労判定部が前記作業者が疲労していると再度判定した場合、前記処理制御部は、前記表示部に前記作業画面に代え疲労を回復させるための第２画面を表示させることを特徴とする請求項１記載の情報処理装置。
【請求項３】
前記処理制御部が前記表示部に前記第１画面を表示させた後、
前記疲労判定部は、再度取得した疲労情報に基づき、前記作業者が疲労しているか否かを再度判定し、
前記疲労判定部が前記作業者が疲労していると再度判定した場合、前記処理制御部は、前記作業者の作業の処理を停止させることを特徴とする請求項１記載の情報処理装置。
【請求項４】
前記処理制御部が前記表示部に前記第２画面を表示させた後、
前記疲労判定部は、再度取得した疲労情報に基づき、前記作業者が疲労しているか否かを再度判定し、
前記疲労判定部が前記作業者が疲労していると再度判定した場合、前記処理制御部は、前記作業者の作業の処理を停止させることを特徴とする請求項２記載の情報処理装置。
【請求項５】
作業者の疲労に関する情報である疲労情報に基づき、前記作業者が疲労しているか否かを判定する疲労判定部と、
前記疲労判定部が前記作業者が疲労していると判定した場合、前記作業者が作業を行う作業画面を表示する表示部に、前記作業者に疲労を回復させるための複数の画面を順次表示させる処理制御部と、
前記複数の画面のうち前記作業者の疲労が回復した画面に関する情報を記憶する記憶部と、を具備し、
前記疲労判定部は、再度取得した疲労情報に基づき、前記作業者が疲労しているか否かを再度判定し、
前記疲労判定部が前記作業者が疲労していると判定した場合、前記記憶部に記憶された前記作業者の疲労が回復した画面の情報に関する情報に基づき、前記複数の画面から表示する画面を選択し、前記表示部に表示させることを特徴とする情報処理装置。
【請求項６】
作業者の疲労に関する情報である疲労情報に基づき、前記作業者が疲労しているか否かを判定する疲労判定部と、
前記疲労判定部が前記作業者が疲労していると判定した場合、前記作業者が作業を行う作業画面を表示する表示部に、前記作業者に疲労を回復させるための第１画面を表示させる処理制御部と、
を具備し、
前記処理制御部が前記表示部に前記第１画面を表示させた後、
前記疲労判定部は、再度取得した疲労情報に基づき、前記作業者が疲労しているか否かを再度判定し、
前記疲労判定部が前記作業者が疲労していると再度判定した場合、前記処理制御部は、前記表示部に疲労を回復させるための第２画面を表示させることを特徴とする情報処理装置。
【請求項７】
作業者の疲労に関する情報である疲労情報に基づき、前記作業者が疲労しているか否かを判定する疲労判定部と、
前記疲労判定部が前記作業者が疲労していると判定した場合、前記作業者が作業を行う作業画面を表示する表示部に、前記作業者に疲労を回復させるための第１画面を表示させる処理制御部と、
を具備し、
前記処理制御部が前記表示部に前記第１画面を表示させた後、
前記疲労判定部は、再度取得した疲労情報に基づき、前記作業者が疲労しているか否かを再度判定し、
前記疲労判定部が前記作業者が疲労していると再度判定した場合、前記処理制御部は、前記作業者の作業の処理を停止させることを特徴とする情報処理装置。
【請求項８】
前記疲労情報は、前記作業者の脳波に関する情報であることを特徴とする請求項１から７のいずれか一項記載の情報処理装置。
【発明の詳細な説明】
【技術分野】
【０００１】
本発明は、情報処理装置に関し、特に、作業者の疲労に関する情報に基づき表示部に画面を表示する情報処理装置に関する。
【背景技術】
【０００２】
情報処理端末等を用い作業する作業者は、情報処理端末等の表示部を視認しながら作業を行うため疲労しやすい。特許文献１には、電力系統を監視制御する電力系統監視制御システムにおいて、運転員の疲労を検知すると、電力系統監視制御システムの画面とリラクゼーションシステムの画面を切り換える技術が開示されている。また、特許文献２には、情報端末を使用している作業者のタスクが切り替わると、タスクの処理中の作業者を撮影した映像やタスクの処理履歴を表示部に表示し、作業者を撮影した映像に作業者の心的状態を表示する技術が開示されている。
【特許文献１】特開平７−２５５１２８号公報
【特許文献２】実開平２００６−３２３７０２号公報
【発明の開示】
【発明が解決しようとする課題】
【０００３】
特許文献１及び２においては、作業者の疲労状態に応じ、表示部にリラクゼーションシステムの画面や作業者の心的状態を表示することができる。しかしながら、作業中の表示部の画面が切り替わってしまうため、作業効率が低下してしまう。また、作業者の疲労を効率的に回復させることが求められている。
【０００４】
本発明は、上記課題に鑑みなされたものであり、作業効率の低下を抑制すること、または、作業者の疲労を効率的に回復させることを目的とする。
【課題を解決するための手段】
【０００５】
本発明は、作業者の疲労に関する情報である疲労情報に基づき、前記作業者が疲労しているか否かを判定する疲労判定部と、前記疲労判定部が前記作業者が疲労していると判定した場合、前記作業者が作業を行う作業画面を表示する表示部に、前記作業画面と共に、前記作業者に疲労を回復させるための第１画面を表示させる処理制御部と、を具備することを特徴とする情報処理装置である。本発明によれば、処理部が表示部に作業者に疲労を回復させるための第１画面を作業画面とともに表示させるため、作業効率の低下を抑制することができる。
【０００６】
上記構成において、前記処理制御部が前記表示部に前記第１画面を表示させた後、前記疲労判定部は、再度取得した疲労情報に基づき、前記作業者が疲労しているか否かを再度判定し、前記疲労判定部が前記作業者が疲労していると再度判定した場合、前記処理制御部は、前記表示部に前記作業画面に代え疲労を回復させるための第２画面を表示させる構成とすることができる。この構成によれば、作業効率の低下が少ない第１画面を表示しても、作業者の疲労が回復していない場合、作業効率は低下するが疲労回復の効果は高い第２画面を表示することができる。よって、作業効率の低下を抑制しつつ作業者の疲労を回復させることができる。
【０００７】
上記構成において、前記処理制御部が前記表示部に前記第１画面を表示させた後、前記疲労判定部は、再度取得した疲労情報に基づき、前記作業者が疲労しているか否かを再度判定し、前記疲労判定部が前記作業者が疲労していると再度判定した場合、前記処理制御部は、前記作業者の作業の処理を停止させる構成とすることができる。この構成によれば、作業効率の低下が少ない第１画面を表示しても、作業者の疲労が回復していない場合、作業の処理を停止する。よって、作業効率の低下を抑制しつつ作業者の疲労を回復させることができる。
【０００８】
上記構成において、前記処理制御部が前記表示部に前記第２画面を表示させた後、前記疲労判定部は、再度取得した疲労情報に基づき、前記作業者が疲労しているか否かを再度判定し、前記疲労判定部が前記作業者が疲労していると再度判定した場合、前記処理制御部は、前記作業者の作業の処理を停止させる構成とすることができる。
【０００９】
本発明は、作業者の疲労に関する情報である疲労情報に基づき、前記作業者が疲労しているか否かを判定する疲労判定部と、前記疲労判定部が前記作業者が疲労していると判定した場合、前記作業者が作業を行う作業画面を表示する表示部に、前記作業者に疲労を回復させるための複数の画面を順次表示させる処理制御部と、前記複数の画面のうち前記作業者の疲労が回復した画面に関する情報を記憶する記憶部と、を具備し、前記疲労判定部は、再度取得した疲労情報に基づき、前記作業者が疲労しているか否かを再度判定し、前記疲労判定部が前記作業者が疲労していると判定した場合、前記記憶部に記憶された前記作業者の疲労が回復した画面の情報に冠する情報に基づき、前記複数の画面から表示する画面を選択し、前記表示部に表示させることを特徴とする情報処理装置である。本発明によれば、作業者の疲労回復に効果のあった画面を優先的に用いることにより、作業者の疲労を効率的に回復させることができる。
【００１０】
本発明は、作業者の疲労に関する情報である疲労情報に基づき、前記作業者が疲労しているか否かを判定する疲労判定部と、前記疲労判定部が前記作業者が疲労していると判定した場合、前記作業者が作業を行う作業画面を表示する表示部に、前記作業者に疲労を回復させるための第１画面を表示させる処理制御部と、を具備し、前記処理制御部が前記表示部に前記第１画面を表示させた後、前記疲労判定部は、再度取得した疲労情報に基づき、前記作業者が疲労しているか否かを再度判定し、前記疲労判定部が前記作業者が疲労していると再度判定した場合、前記処理制御部は、前記表示部に疲労を回復させるための第２画面を表示させることを特徴とする情報処理装置である。
【００１１】
本発明は、作業者の疲労に関する情報である疲労情報に基づき、前記作業者が疲労しているか否かを判定する疲労判定部と、前記疲労判定部が前記作業者が疲労していると判定した場合、前記作業者が作業を行う作業画面を表示する表示部に、前記作業者に疲労を回復させるための第１画面を表示させる処理制御部と、を具備し、前記処理制御部が前記表示部に前記第１画面を表示させた後、前記疲労判定部は、再度取得した疲労情報に基づき、前記作業者が疲労しているか否かを再度判定し、前記疲労判定部が前記作業者が疲労していると再度判定した場合、前記処理制御部は、前記作業者の作業の処理を停止させることを特徴とする情報処理装置である。
【００１２】
上記構成において、前記疲労情報は、前記作業者の脳波に関する情報である構成とすることができる。
【発明の効果】
【００１３】
本発明によれば、作業効率の低下を抑制すること、または、作業者の疲労を効率的に回復させることができる。
【発明を実施するための最良の形態】
【００１４】
以下、図面を用い本発明の実施例を説明する。
【実施例１】
【００１５】
図１（ａ）は、情報処理端末を使用して作業を行っている作業者１００が脳波検出装置１０を装着した外観模式図である。作業者１００の頭皮に脳波センサが接触するように脳波検出装置１０が作業者１００の頭部に装着される。
【００１６】
図１（ｂ）は、脳波装着装置１０のブロック図である。脳波検出装置１０は、脳波センサ１２、フィルタ１４、アンプ１６、アナログデジタル変換回路（ＡＤＣ）１８、センサ制御部２０、メモリ２２、バッテリ２４、ＲＦ（高周波）回路２６及びアンテナ２８からなる。脳波センサ１２が検出した作業者１００のアナログの脳波信号は、フィルタ１４により不要な周波数の雑音が除去される。その後、アンプ１６により増幅され、ＡＤＣ１８によりデジタルの脳波信号に変換される。センサ制御部２０には、変換されたデジタルの脳波信号が入力する。センサ制御部２０は、例えばＣＰＵ（中央演算処理装置）からなり、脳波センサ１２から出力された脳波信号を脳波に関する情報としてＲＦ回路２６に出力する。ＲＦ回路２６は、脳波に関する情報を高周波信号に変調する。アンテナ２８は高周波信号を送信する。バッテリ２４はセンサ制御部２０等に電源を供給する。
【００１７】
図１（ｃ）は、脳波受信装置３０及び情報処理端末６０（例えばパーソナルコンピュータ）のブロック図である。脳波受信装置３０は、ＲＦ回路３２、復調回路３４、Ｉ／Ｆ（インターフェース）回路３６、アンテナ３８、疲労判定部４０及びメモリ４２から構成されている。情報処理端末６０は、処理部４４（処理制御部）、入力部４６、記憶部４８及び表示部５０から構成されている。
【００１８】
アンテナ３８、ＲＦ回路３２及び復調回路３４は、脳波検出装置１０から作業者１００の疲労に関する疲労情報である脳波に関する情報を取得する受信部３１を構成する。アンテナ３８が受信した脳波に関する情報を含む高周波信号はＲＦ回路３２において増幅され、中間周波数に変換される。復調回路３４は、中間周波数信号から脳波に関する情報を復調する。疲労判定部４０は、例えばＣＰＵからなり、脳波に関する情報に基づき、作業者１００が疲労しているか否かを判定する。作業者１００が疲労しているか否かの情報はインターフェース回路３６を介して情報処理端末６０に出力される。メモリ４２は、疲労判定部４０に関する各種情報を記憶する。
【００１９】
脳波受信装置３０からの信号は処理部４４に入力する。処理部４４は、例えばＣＰＵからなり、作業者１００が作業を行う画面である作業画面を表示部５０に表示させる。作業者１００が疲労しているか否かの情報に基づき、表示部５０に表示させる画面を選択し、表示部５０に表示させたり、表示部５０が表示している画面を消去させたりする。また、作業者１００が行っている作業に関する処理を行ったり停止したりする。入力部４６は、作業者１００が作業をするため用いる例えばキーボードやマウスである。記憶部４８は、例えば揮発性または不揮発性メモリであり、処理部４４の処理に関する情報を記憶する。
【００２０】
図２は、脳波受信装置３０及び情報処理端末６０の動作を示すフローチャートである。作業者１００は図１（ａ）のように頭部に脳波検出装置１０を装着し、表示部５０を視ながら作業を行っている。受信部３１は脳波検出装置１０が送信した脳波に関する情報を取得する（ステップＳ１０）。疲労判定部４０は、受信部３１より脳波に関する情報を取得し、脳波に関する情報に基づき作業者１００が疲労しているか否かを判定する（ステップＳ１２）。例えば、疲労判定部４０は、脳波のうちα波が多いと作業者１００が疲労していると判断し、β波が多いと作業者１００がリラックスしていると判定する。疲労判定部４０は、作業者１００が疲労しているか否かの情報を処理部４４に送信する。
【００２１】
ステップＳ１２においてＹｅｓの場合、処理部４４は、作業者１００が疲労していることを示す情報を受信する。処理部４４は、表示部５０に、作業者１００が作業を行っている作業画面５２とともに、作業者１００の疲労を回復させるための第１画面５４を表示させる（ステップＳ１４）。第１画面５４としては、「休憩が必要です」、「顔を洗ってきましょう」、「一服どうぞ！」等のコメントでもよいし、動物や自然等の画像でもよい。また、コメントや画像は点滅または点灯してもよい。作業者１００の作業を妨げないため、第１画面５４は作業画面５２より小さいことが好ましい。その後、ステップＳ１６に進む。
【００２２】
ステップＳ１２においてＮｏの場合、処理部４４は、作業者１００が疲労していないことを示す情報を受信する。表示部５０に第１画面５４が表示されていれば、処理部４４は第１画面５４を消去する（ステップＳ１８）。その後、ステップＳ１６に進む。ステップＳ１６において、処理部４４は終了かを判断する。Ｎｏの場合、ステップＳ１０に戻る。Ｙｅｓの場合終了する。
【００２３】
実施例１によれば、ステップＳ１４のように、疲労判断部４０が脳波に関する情報に基づき作業者１００が疲労していると判断した場合、処理部４４（処理制御部）は、作業者１００が作業を行う作業画面５２を表示する表示部５０に作業画面５２とともに、作業者１００に疲労を回復させるための第１画面５４を表示させる。特許文献１及び２のように、情報処理端末６０を操作する作業者１００の疲労を検出した場合、作業画面５２を他の画面に切り換えたのでは、作業が一旦停止してしまい作業効率が低下してしまう。一方、実施例１では、表示制御部４０は、表示部５０に作業画面５２とともに、作業者１００に第１画面５４を表示させるため、作業効率が低下することを抑制することができる。
【実施例２】
【００２４】
実施例２のプロック構成は、図１（ｂ）及び図１（ｃ）と同じであり説明を省略する。図４は、実施例２に係る脳波受信装置３０及び情報処理端末６０の動作を示すフローチャートである。図４を参照に、作業者１００が作業を開始すると、処理部４４は、Ｎ＝０とする（ステップＳ１９）。受信部３１は、脳波検出装置１０が送信した脳波に関する情報を取得する（ステップＳ２０）。疲労判定部４０は、受信部３１より脳波に関する情報を取得し、脳波に関する情報に基づき作業者１００が疲労しているかを判定する（ステップＳ２２）。Ｙｅｓの場合、処理部４４は、Ｎ＝Ｎ＋１とする（ステップＳ２４）。処理部４４は、Ｎの数を判断する（ステップＳ２６）。Ｎ＝１の場合、図３のように、処理部４４は、表示部５０に、作業者１００が作業を行っている作業画面５２とともに、作業者１００の疲労を回復させるための第１画面５４を表示させる（ステップＳ２８）。
【００２５】
ステップＳ２６において、Ｎ＝２の場合、図５（ａ）のように、処理部４４は、表示部５０に作業画面５２に代え第２画面５６を表示させる（ステップＳ３０）。第２画面５６は、作業者１００に疲労を回復させるための画面であり、例えば、子猫の画像、背景を暗くした画像、または、せせらぎの画像等のリラクゼーション画面、コメント入りの画像等である。コメントや画像を点滅または点灯させてもよい。ステップＳ２６において、Ｎ＝３の場合、処理部４４は、図５（ｂ）のように、表示部５０に作業を停止させる旨表示させ、作業者１００が行っている作業の処理を停止する（ステップＳ３２）。作業の処理の停止は、完全に作業の処理を停止させなくてもよい。例えば、作業者１００がメールを作成する作業を行っている場合、メール送信のボタンをクリックできなくするような制御でもよい。このように、作業の処理の一部を停止してもよい。処理部４４は、一定時間待機する（ステップＳ３４）。待機時間は、任意に設定することができる。その後、ステップＳ３６に進む。
【００２６】
ステップＳ２２においてＮｏの場合、表示部５０が第１画面５４または第２画面５６を表示していれば、処理部４４は、第１画面５４または第２画面５６を消去させる。作業の処理を停止していれば、処理部４４は、作業を再開させる。このように、処理部４４はステップＳ２８からＳ３２の処置をクリアする（ステップＳ３８）。処理部４４は、Ｎ＝０とする（ステップＳ４０）。その後、ステップＳ３６に進む。ステップＳ３６において、処理部４４は終了かを判断する。Ｎｏの場合、ステップＳ２０に戻る。Ｙｅｓの場合終了する。
【００２７】
実施例２によれば、ステップＳ２８のように、処理部４４が表示部５０に第１画面５４を表示させた後、ステップＳ２０のように受信部３１は脳波に関する情報を再度取得する。ステップＳ２２のように、疲労判定部４０は、再度取得した脳波に関する情報に基づき作業者１００が疲労しているかを再度判定する。疲労判定部４０が作業者１００が疲労していると再度判定した場合、ステップＳ３０のように、処理部４４は、表示部５０に作業画面５２に代え第２画面を表示させる。さらに、ステップ３０のように、処理部４４が表示部５０に第２画面５６を表示させた後、ステップＳ２０のように、受信部３１は脳波に関する情報を再度取得する。ステップＳ２２のように、疲労判定部４０は、再度取得した脳波に関する情報に基づき作業者１００が疲労しているかを再度判定する。疲労判定部４０が作業者１００が疲労していると再度判定した場合、ステップＳ３２のように、処理部４４は作業者１００の作業の処理を停止させる。
【００２８】
このように、作業者１００が疲労したと判断した場合、最初は、疲労回復の効果は高くないが作業効率の低下は少ない方法として、作業画面５２とともに第１画面５４を表示する。さらに、一定時間後、作業者１００の疲労が回復していないと判断した場合、作業効率は低下するが、疲労回復の効果は高い方法として、作業画面５２に代え第２画面５６を表示する。さらに、一定時間後、作業者１００の疲労が回復していないと判断した場合、最も作業効率が悪いが最も疲労回復効果が高い作業の処理の停止を行う。このように、段階的に疲労回復の処置を行うことにより、作業者１００の作業効率を低下を抑制し、かつ作業者１００の疲労を回復させることができる。
【００２９】
なお、実施例２より効果は小さくなるが、ステップＳ２８の次にステップＳ３０を行わず、ステップＳ３２を行ってもよい。また、第１画面５４は、作業画面５２とともに表示するのではなく、作業画面５２に代え表示してもよい。
【実施例３】
【００３０】
実施例３のプロック構成は、図１（ｂ）及び図１（ｃ）と同じであり説明を省略する。図６は、実施例３に係る脳波受信装置３０及び情報処理端末６０の初期動作を示すフローチャートである。図６を参照に、作業者１００が作業を開始すると、処理部４４は、Ｎ＝０とする（ステップＳ５０）。受信部３１は、脳波検出装置１０が送信した脳波に関する情報を取得する（ステップＳ５２）。疲労判定部４０は、受信部３１より脳波に関する情報を取得し、脳波に関する情報に基づき作業者１００が疲労しているかを判定する（ステップＳ５４）。Ｙｅｓの場合、処理部４４は、Ｎ＝Ｎ＋１とする（ステップＳ５６）。処理部４４は、表示部５０にＮ番目の画面を表示させる（ステップＳ５８）。受信部３１は、脳波検出装置１０が送信した脳波に関する情報を再度取得する（ステップＳ６０）。疲労判定部４０は、受信部３１より脳波に関する情報を再度取得し、脳波に関する情報に基づき作業者１００が疲労しているかを再度判定する（ステップＳ６２）。Ｙｅｓの場合、ステップＳ６６に進む。Ｎｏの場合、処理部４４は、Ｎ番目の画面に関する情報（例えばＮ）を記憶部４８に記憶させる（ステップＳ６４）。その後、ステップＳ６６に進む。
【００３１】
ステップＳ５４においてＮｏの場合、表示部５０が画面を表示していれば、処理部４４は、画面を消去させる（ステップＳ６８）。処理部４４は、Ｎ＝０とする（ステップＳ７０）。その後、ステップＳ６６に進む。ステップＳ６６において、処理部４４は終了かを判断する。Ｎｏの場合、ステップＳ５２に戻る。Ｙｅｓの場合終了する。
【００３２】
図７は、実施例３に係る脳波受信装置３０及び情報処理端末６０のその後の動作を示すフローチャートである。図７を参照に、作業者１００が作業を開始すると、受信部３１は、脳波検出装置１０が送信した脳波に関する情報を取得する（ステップＳ８０）。疲労判定部４０は、受信部３１より脳波に関する情報を取得し、脳波に関する情報に基づき作業者１００が疲労しているかを判断する（ステップＳ８２）。Ｙｅｓの場合、処理部４４は、記憶部４８から作業者１００の疲労回復に効果のあった画面に関する情報を取得する（ステップＳ８４）。処理部４４は、取得した画面に関する情報に基づき、表示する画面を選択する（ステップＳ８６）。処理部４４は、表示部５０に選択した画面を表示させる（ステップＳ８８）。その後、ステップＳ９０に進む。
【００３３】
ステップＳ８２においてＮｏの場合、表示部５０が画面を表示していれば、処理部４４は、画面を消去させる（ステップＳ９２）。処理部４４は、その後、ステップＳ９０に進む。ステップＳ９０において、処理部４４は終了かを判断する。Ｎｏの場合、ステップＳ８０に戻る。Ｙｅｓの場合終了する。
【００３４】
実施例３によれば、初期動作において、図６のステップＳ５４のように、疲労判定部４０が脳波に関する情報に基づき作業者１００が疲労していると判定した場合、図６のステップＳ５８のように、処理部４４は、作業者１００が作業を行う作業画面を表示する表示部５０に、作業者１００に疲労を回復させるための複数の画面を順次表示させる。ステップＳ６４のように、記憶部４８は複数の画面のうち作業者１００の疲労回復に効果のあった画面に関する情報を記憶する。その後の動作において、図７のステップＳ８０のように、受信部３１は、脳波に関する情報を再度取得する。ステップＳ８２のように、疲労判定部４０は、脳波に関する情報に基づき作業者１００が疲労しているかを判定する。ステップＳ８４からＳ８８のように、疲労判定部４０が作業者１００が疲労していると判定した場合、処理部４４は、記憶部４８に記憶された作業者１００の疲労が回復した画面の情報に基づき、複数の画面から表示する画面を選択し、表示部５０に表示させる。
【００３５】
ステップＳ５８において処理部４４が表示部５０に表示させる画面は、例えば、動物の映像、「コーヒータイムです」とのコメント、「体操してください」とのコメント、「一分間目を閉じてください」とのコメント、「作業を停止します」とのコメントである。このような複数の画面のうち、作業者１００の疲労回復に効果のあった画面を優先的に用いることにより、作業者１００の疲労回復効果を高めることができる。
【００３６】
実施例１から実施例３において、疲労判定部４０は情報処理端末６０とは別に設けられる場合を例に説明したが、疲労判定部４０は情報処理端末６０内に設けられてもよい。また、疲労情報として脳波に関する情報（例えば、脳波信号をデジタル信号に変換した信号）を用いているが、疲労情報は、皮膚温度、瞳孔径等の作業者１００の関する情報であればよい。さらに、処理部４４は表示部５０に第１画面５４及び５６を表示させる際に、または、作業者１００の行っている処理を停止する際に、音声や振動を作業者に与えてもよい。
【００３７】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００３８】
【図１】図１（ａ）は脳波検出装置を装着した作業者の模式図、図１（ｂ）は脳波検出装置のブロック図、図１（ｃ）は表示制御装置及び情報処理端末のブロック図である。
【図２】図２は、実施例１に係る表示制御装置の動作を示すフローチャートである。
【図３】図３は表示部の画面を示す模式図である。
【図４】図４は実施例２に係る表示制御装置の動作を示すフローチャートである。
【図５】図５（ａ）及び図５（ｂ）は、表示部の画面を示す模式図である。
【図６】図６は実施例３に係る表示制御装置の動作を示すフローチャート（その１）である。
【図７】図７は実施例３に係る表示制御装置の動作を示すフローチャート（その２）である。
【符号の説明】
【００３９】
１０            脳波検出装置
３０            脳波受信装置
３１            受信部
４０            疲労判定部
４４            処理部
４８            記憶部
５０            表示部
５２            作業画面
５４            第１画面
５６            第２画面
６０            情報処理端末
【図１】
2008305107.tif 000003
【図２】
2008305107.tif 000004
【図３】
2008305107.tif 000005
【図４】
2008305107.tif 000006
【図５】
2008305107.tif 000007
【図６】
2008305107.tif 000008
【図７】
2008305107.tif 000009